(57)【要約】      （修正有）【課題】狭いスペースにも置くことが出来、又電源タップを見える場所に置く場合でも、使用環境の装飾性を損なわない小型電源タップを提供する。【解決手段】家庭用電源コンセントに差込み可能な差込みプラグ付き電源コードの末端に、電源コンセントの口部２を１つ以上有するタップケース部４を備えた電源タップであって、タップケース部を床に置いたとき、底面に垂直かつタップケースの長手方向の面に複数個の電源コンセントの口部を配し、該ケースの上面には長手方向に各電源コンセントの口部の電源を個別にＯＮ／ＯＦＦするスイッチ３を配し、該各コンセントの口部全ての刃受穴の長手方向がタップケース部の長手方向と一致し、該全スイッチのアクチュエーターの操作方向がケースの長手方向に対し、直角方向となる様に配置したことで小型化を実現した電源タップを用い、また、プラグ付き電源コードの導出部はタップケースのコンセント口部配置面に設けた電源タップを用いる。【選択図】図１
0003164570.tif 000002
【実用新案登録請求の範囲】
【請求項１】
家庭用電源コンセントに差込み可能な差込みプラグ付き電源コードの末端に、電源コンセントの口部を１つ以上有するタップケース部を備えた電源タップであって、タップケース部を床に置いたとき、底面に垂直かつタップケースの長手方向の面に複数個の電源コンセントの口部を配し、該ケースの上面には長手方向に各電源コンセントの口部の電源を個別にＯＮ／ＯＦＦするスイッチを配し、該各コンセントの口部全ての刃受穴の長手方向がタップケース部の長手方向と一致し、該全スイッチのアクチュエーターの操作方向がケースの長手方向に対し、直角方向となる様に配置した電源タップ。
【請求項２】
電源タップのタップケースのコンセントの口部配置面にプラグ付き電源コードの導出部を設けた請求項１に記載の電源タップ
【考案の詳細な説明】
【技術分野】
【０００１】本考案は、電源タップに関するものであり、電源タップのケース部に備えたコンセントの口部とスイッチを図面の図１の配置にし、小型化したものである。
【背景技術】
【０００２】従来から、家庭用コンセントに差し込み、複数のコンセント口へ電源を分配する電源タップは利用されている。
【考案の開示】
【考案が解決しようとする課題】
【０００３】近年、電源が必要な機器を同時に使用することが増え、確保が必要な電源コンセントの口数も必然的に必要となっており、環境により必要な電源コンセントの口数の確保が難しい場合には電源タップを使用するが、電源をＯＮ／ＯＦＦするスイッチ付き電源タップは、ケース部の大きいものが多くその場合、使用場所のスペースが狭いと不便であり電源タップを見える場所にて使用する場合、ケース本体の大きいものは使用場所の装飾性を損ねる場合がある。又タップケースの電線導出面と、他の機器からタップケースに接続される電線の接続面が異なる場合、電線が煩雑になり使用場所の装飾性を損ねる場合がある。
【課題を解決するための手段】
【０００４】この課題を解決するための請求項１の考案は、家庭用電源コンセントに差込み可能な差込みプラグ付き電源コードの末端に、電源コンセントの口部を１つ以上有するタップケース部を備えた電源タップであって、タップケース部を床に置いたとき、底面に垂直かつタップケースの長手方向の面に複数個の電源コンセントの口部を配し、該ケースの上面には長手方向に各電源コンセントの口部の電源を個別にＯＮ／ＯＦＦするスイッチを配し、該各コンセントの口部全ての刃受穴の長手方向がタップケース部の長手方向と一致し、該全スイッチのアクチュエーターの操作方向がケースの長手方向に対し、直角方向となる様に配置した電源タップを考案した（図１及び図４）。  この構造により、電源タップが小型化できる。【０００５】請求項２の考案は、請求項１で解説した考案品とコンセントの口部とスイッチの配置は同じであるが、請求項２はタップケースのコンセントの口部配置面にプラグ付き電源コードの導出部を設けた仕様であり、図５の様にプラグ付き電源コードの導出部を設けた一般的な電源タップと比べ、タップケースから導出しているプラグ付き電源コードと他の機器から請求項２の電源タップに接続されるプラグ付き電源コードを全て同一方向にすることが出来る。
【考案の効果】
【０００６】よって、本考案品を使用することにより、狭いスペースにも置くことが出来、又電源タップを見える場所に置く場合でも本考案品は小さい為、使用環境の装飾性を損なわない様にすることが可能である。【０００７】請求項２の本考案品を使用することにより、タップケースから導出しているプラグ付き電源コードと、他の機器から請求項２の電源タップに接続されるプラグ付き電源コードを全て同一方向にすることが出来る為、電線部が煩雑にならず使用環境によって装飾性を損なわない様にすることが可能である。【０００８】本考案品の形態にすることにより、内部端子など、構造の簡素化が可能であり、製品自体も小さくなる為、材料費の削減も可能となる。
【考案を実施するための最良の形態】
【０００９】家庭用電源コンセントに差込み可能な差込みプラグ付き電源コードの末端に、電源コンセントの口部を１つ以上有するタップケース部を備えた電源タップであって、タップケース部を床に置いたとき、底面に垂直かつタップケースの長手方向の面に複数個の電源コンセントの口部を配し、該ケースの上面には長手方向に各電源コンセントの口部の電源を個別にＯＮ／ＯＦＦするスイッチを配し、該各コンセントの口部全ての刃受穴の長手方向がタップケース部の長手方向と一致し、該全スイッチのアクチュエーターの操作方向がケースの長手方向に対し、直角方向となる様に配置したことで小型化を実現する。【００１０】プラグ付き電源コードの導出部については、電源タップのタップケースの短手方向のいずれか一方で、底面に対して垂直な面に設けた図面の図１にある電源タップと、タップケースのコンセントの口部配置面に設けた図面の図４にある電源タップ。
【実施例】
【００１１】以下、一実施例を添付図面に従って説明する。本考案品の小型電源タップは、図１及び図４で示す様に、家庭用電源コンセントに差込み可能な差込みプラグ付き電源コードの末端に、電源コンセントの口部を１つ以上有するタップケース部を備えた電源タップであって、タップケース部を床に置いたとき、底面に垂直かつタップケースの長手方向の面に複数個の電源コンセントの口部を配し、該ケースの上面には長手方向に各電源コンセントの口部の電源を個別にＯＮ／ＯＦＦするスイッチを配し、該各コンセントの口部全ての刃受穴の長手方向がタップケース部の長手方向と一致し、該全スイッチのアクチュエーターの操作方向がケースの長手方向に対し、直角方向となる様に配置した形態であり、図面の図６で示す様にテレビの画面下で、なおかつテレビの台座の横の様な少ないスペースにも置くことが出来、又本考案品は小さいことから、使用環境の装飾性も損なうことが無い。【００１２】図６の使用環境の場合、請求項２の小型電源タップを使用すれば更に、タップケースから導出しているプラグ付き電源コードと、他の機器から請求項２の電源タップに接続されるプラグ付き電源コードを全て同一方向にすることが出来る為、電線部が煩雑にならない。
【図面の簡単な説明】
【０００１３】
【図１】家庭用電源コンセントに差込み可能な差込みプラグ付き電源コードの末端に、電源コンセントの口部を１つ以上有するタップケース部を備えた電源タップであって、タップケース部を床に置いたとき、底面に垂直かつタップケースの長手方向の面に複数個の電源コンセントの口部を配し、該ケースの上面には長手方向に各電源コンセントの口部の電源を個別にＯＮ／ＯＦＦするスイッチを配し、該各コンセントの口部全ての刃受穴の長手方向がタップケース部の長手方向と一致し、該全スイッチのアクチュエーターの操作方向がケースの長手方向に対し、直角方向となる様に配置したことで小型化を実現した電源タップで、プラグ付き電源コードの導出部については、電源タップのタップケースの短手方向のいずれか一方で、底面に対して垂直な面に設けたものである。
【図２】図１の小型電源タップをコンセント口部の配置面から見た状態である。
【図３】図１の小型電源タップを上面から見た状態である。
【図４】家庭用電源コンセントに差込み可能な差込みプラグ付き電源コードの末端に、電源コンセントの口部を１つ以上有するタップケース部を備えた電源タップであって、タップケース部を床に置いたとき、底面に垂直かつタップケースの長手方向の面に複数個の電源コンセントの口部を配し、該ケースの上面には長手方向に各電源コンセントの口部の電源を個別にＯＮ／ＯＦＦするスイッチを配し、該各コンセントの口部全ての刃受穴の長手方向がタップケース部の長手方向と一致し、該全スイッチのアクチュエーターの操作方向がケースの長手方向に対し、直角方向となる様に配置したことで小型化を実現した電源タップで、プラグ付き電源コードの導出部については、タップケースのコンセントの口部配置面に設けた請求項２の小型化電源タップである。
【図５】一般的な電源タップの形態である。
【図６】テレビの画面下で、なおかつテレビの台座の横の少ないスペースで本考案品を置き電線も煩雑にならず、使用環境の装飾性も損なわない状態図である。
【符号の説明】
【０００１４】  １      タップケースから導出しているプラグ付き電源コード
２      電源コンセントの口部
３      各電源コンセントの口部の電源を個別にＯＮ／ＯＦＦするスイッチ
４      タップケース部
５      タップケースの上面
６      タップケースの底面
７      電源コンセントの口部の刃受穴
８      底面に垂直かつタップケースの長手方向の面
９      底面に垂直かつタップケースの短手方向の面
１０      本考案品に電源コードを接続しているテレビ周辺の機器
【図１】
0003164570.tif 000003
【図２】
0003164570.tif 000004
【図３】
0003164570.tif 000005
【図４】
0003164570.tif 000006
【図５】
0003164570.tif 000007
【図６】
0003164570.tif 000008